(57)【要約】      （修正有）【課題】製造コストが低い紙の傾き判断機能を備える周辺機器及びその紙の傾き判断装置を提供する。【解決手段】周辺機器は紙に対してプリント或いはスキャンを行い、底台、上蓋、紙の傾き判断装置４０を有する。上蓋と底台の間には進紙通路を形成する。紙の傾き判断装置は赤外線発射器４１、赤外線受け取り器４２、オーバーハングアーム４３、感知ローラー４４、レンズ４５を有する。赤外線受け取り器と赤外線発射器は相対するように底台上に取り付けられ、オーバーハングアームは回転するように底台上に設置される。感知ローラーはオーバーハングアームの上端に枢接され、感知ローラーの中心軸と進紙方向とは垂直に交わる。感知ローラーの上部は進紙通路に進入し、レンズはオーバーハングアームの下部に設置され、赤外線発射器と赤外線受け取り器の間に設置される。レンズの異なる区域は異なる光透過性を備える。【選択図】図８
0003214520.tif 000002
【実用新案登録請求の範囲】
【請求項１】
周辺機器であって、紙に対してプリント或いはスキャンを行い、底台、上蓋、少なくとも１個のモーター、進紙キャスターセット、紙の傾き判断装置を有し、
前記上蓋は、底台上に枢接され蓋をし、上蓋と底台の間には、進紙通路を形成し、
前記少なくとも１個のモーターは、底台上に取り付けられ、
前記進紙キャスターセットは、底台上に枢接され、進紙通路に進入し、モーターと連接し、モーターは進紙キャスターセットを駆動し、紙を進紙方向に沿って送り入れ、
前記紙の傾き判断装置は、赤外線発射器、赤外線受け取り器、オーバーハングアーム、感知ローラー、レンズを有し、
前記赤外線発射器は、底台上に設置され、赤外線受け取り器と赤外線発射器は、相対するように、底台上に取り付けられ、
前記オーバーハングアームは、回転するように、底台上に設置され、前記感知ローラーは、オーバーハングアームの上端に枢接され、感知ローラーの中心軸と進紙方向とは、垂直に交わり、感知ローラーの上部は、進紙通路に進入し、
前記レンズは、オーバーハングアームの下部に固定して設置され、赤外線発射器と赤外線受け取り器の間に設置され、前記レンズの異なる区域は、異なる光透過性を備え、前記赤外線受け取り器は、赤外線発射器が発射しレンズを通過した赤外線を受け取ることを特徴とする周辺機器。
【請求項２】
前記底台は、進紙ローラー台、封鎖板、基板を有し、
前記進紙ローラー台の中央部には、收容空間を陥没状に設置し、前記封鎖板は、進紙ローラー台の上表面に蓋をし、封鎖板上表面と上蓋下表面の間には、前記進紙通路を形成し、封鎖板は、收容空間の上方に、横方向配列を呈して、收容空間と連通する２個の第一開孔を、間隔を開けて開設し、
前記進紙キャスターセットは、横方向配列を呈して間隔を開けて設置される２個の進紙ローラーを有し、前記２個の進紙ローラーは、進紙ローラー台上に枢接され、收容空間内に収容され、２個の進紙ローラーは、第一開孔内からそれぞれ封鎖板の上表面へと突出し、２個の進紙ローラーの中心軸と進紙方向とは、垂直に交わり、
前記基板は、進紙ローラー台の下方に設置され、前記赤外線発射器と赤外線受け取り器は共に、基板上に固定して設置されることを特徴とする請求項１に記載の周辺機器。
【請求項３】
前記封鎖板上の、２組の第一開孔の間には、第二開孔を開設し、
前記感知ローラーは、第二開孔内から封鎖板の上表面へ突出し、感知ローラーの上部は、２個の進紙ローラーより高く、しかも感知ローラーの中心軸は、進紙ローラー中心軸の、進紙方向と反対の側に位置することを特徴とする請求項２に記載の周辺機器。
【請求項４】
前記オーバーハングアームは、第一サポートアーム、第二サポートアーム、バネ有し、  前記第一サポートアームと進紙方向は、進紙ローラー台上に垂直に枢接され、第一サポートアームの上部は、收容空間内に収容され、第一サポートアームの下部は、進紙ローラー台の下表面に突出し、前記第二サポートアームは、進紙方向に相対し、上下に回転するように、第一サポートアームの上端に枢接され、前記バネの一端は、第一サポートアームの後表面に固定して設置され、前記バネの反対端は、第二サポートアームの下端に固定して設置され、第二サポートアームは、第一サポートアームに相対し、上向きの傾斜を保持し、弾性の状態を備え、前記感知ローラーは、第二サポートアームの末端に枢接されることを特徴とする請求項２に記載の周辺機器。
【請求項５】
前記進紙ローラー台の底面には、收容空間と連通する枢接孔を開設し、前記第一サポートアームの下表面には、固定柱を突出するように設置し、前記第一サポートアームの下表面は、收容空間の底壁上に接触し、前記固定柱は、枢接孔内に収容され、進紙ローラー台の下表面に突出し、
前記レンズは、連接部、連接部末端に固定して設置される本体部を有し、前記連接部の後端は、固定柱の下端に固定して設置され、前記本体部は、赤外線発射器と赤外線受け取り器の間に設置されることを特徴とする請求項４に記載の周辺機器。
【請求項６】
前記レンズの本体部は、赤外線発射器の片側の、陥没した弧面であることを特徴とする請求項５に記載の周辺機器。
【請求項７】
前記レンズの本体部は、左右両側の厚さが異なり、本体部左側から右側へと厚さが徐々に変化することを特徴とする請求項５に記載の周辺機器。
【請求項８】
前記本体部内には、フォトレジストを添加することを特徴とする請求項５に記載の周辺機器。
【請求項９】
前記本体部の外表面には、フォトレジストを塗布することを特徴とする請求項５に記載の周辺機器。
【請求項１０】
前記フォトレジストは、二酸化チタンであることを特徴とする請求項８或いは９に記載の周辺機器。
【請求項１１】
前記本体部の外表面は、異なる区域に異なる模様を設置することを特徴とする請求項５に記載の周辺機器。
【請求項１２】
前記本体部の外表面は、異なる区域に異なるテクスチャーを設置することを特徴とする請求項５に記載の周辺機器。
【請求項１３】
前記感知ローラーの外部には、ゴムリングを嵌めて設置することを特徴とする請求項１に記載の周辺機器。
【請求項１４】
紙の傾き判断装置は、赤外線発射器、赤外線受け取り器、オーバーハングアーム、感知ローラー、レンズを有し、
前記赤外線受け取り器は、赤外線発射器と相対して設置され、
前記感知ローラーは、オーバーハングアームの上端に枢接され、感知ローラーの中心軸と進紙方向とは、垂直に交わり、
前記レンズは、オーバーハングアームの下部に固定して設置され、赤外線発射器と赤外線受け取り器の間に設置され、前記レンズの異なる区域は、異なる光透過性を備え、赤外線受け取り器は、赤外線発射器が発射しレンズを通過した赤外線を受け取ることを特徴とする紙の傾き判断装置。
【請求項１５】
前記オーバーハングアームは、第一サポートアーム、第二サポートアーム、バネを有し、
前記第一サポートアームと進紙方向とは垂直で、
前記第二サポートアームは、進紙方向に相対し、上下に回転するように、第一サポートアームの上端に枢接され、前記バネの一端は、第一サポートアームの後表面に固定して設置され、前記バネの反対端は、第二サポートアームの下端に固定して設置され、第二サポートアームは、第一サポートアームに相対し、上向きの傾斜を保持し、弾性の状態を備え、
前記感知ローラーは、第二サポートアームの末端に枢接されることを特徴とする請求項１４に記載の紙の傾き判断装置。
【請求項１６】
前記第一サポートアームの後表面には、凸耳部を突出するように設置し、凸耳部の中央部には、第一固定保持孔を開設し、前記第二サポートアームの下端には、第二固定保持孔を開設し、前記バネの両端は、第一固定保持孔と第二固定保持孔内にそれぞれ固定して設置されることを特徴とする請求項１５に記載の紙の傾き判断装置。
【請求項１７】
前記第一サポートアームの下表面には、固定柱を突出するように設置し、前記レンズは、連接部、連接部自由端に固定して設置される本体部を有し、前記連接部の固定端は、固定柱の下端に固定して設置され、前記本体部は、赤外線発射器と赤外線受け取り器の間に設置されることを特徴とする請求項１５に記載の紙の傾き判断装置。
【請求項１８】
前記レンズの本体部は、赤外線発射器の片側の、陥没した弧面であることを特徴とする請求項１７に記載の紙の傾き判断装置。
【請求項１９】
前記レンズの本体部は、左右両側の厚さが異なり、本体部左側から右側へと厚さが徐々に変化することを特徴とする請求項１７に記載の紙の傾き判断装置。
【請求項２０】
前記本体部内には、フォトレジストを添加することを特徴とする請求項１７に記載の紙の傾き判断装置。
【請求項２１】
前記本体部の外表面には、フォトレジストを塗布することを特徴とする請求項１７に記載の紙の傾き判断装置。
【請求項２２】
前記フォトレジストは、二酸化チタンであることを特徴とする請求項２０項或いは第２１に記載の紙の傾き判断装置。
【請求項２３】
前記本体部の外表面は、異なる区域に異なる模様を設置することを特徴とする請求項１７に記載の紙の傾き判断装置。
【請求項２４】
前記本体部の外表面は、異なる区域に異なるテクスチャーを設置することを特徴とする請求項１７に記載の紙の傾き判断装置。
【請求項２５】
前記感知ローラーの外部には、ゴムリングを嵌めて設置することを特徴とする請求項１４に記載の紙の傾き判断装置。
【考案の詳細な説明】
【技術分野】
【０００１】
本考案は周辺機器に関し、特に紙の傾き判断機能を備える周辺機器及びその紙の傾き判断装置に関する。
【背景技術】
【０００２】
図１、図２に示す通り、スキャナー或いはプリンター等の従来の周辺機器１００’は、ペーパートレー１０’、２個の進紙ローラー２０’、２個の速度センサー３０’を有する。
ペーパートレー１０’には、スキャンを待つ或いはプリントを待つ複数の紙２００’を入れる。
複数のスキャンを待つ或いはプリントを待つ紙２００’は、ペーパートレー１０’内に重ねて置かれる。
スキャンを待つ或いはプリントを待つ紙２００’の進紙方向Ｌを紙２００’の長さ方向と定義し、進紙方向を水平に横切る紙２００’の幅方向Ｗと定義する。
２個の進紙ローラー２０’は、紙２００’の幅方向Ｗにおいて、横方向配列を呈してペーパートレー１０’の上方に設置される。
２個の速度センサー３０’は、紙２００’の幅方向Ｗにおいて、横方向配列を呈してペーパートレー１０’の上方に設置される。
２個の速度センサー３０’は、２個の進紙ローラー２０’の間で、かつ２個の進紙ローラー２０’の中心軸Ｃ１’で、進紙方向Ｌと反対の側に位置する。
【０００３】
進紙時には、２個の進紙ローラー２０’と２個の速度センサー３０’はともに、スキャンを待つ或いはプリントの紙２００’上面、即ちペーパートレー１０’内の最上面に位置するスキャン或いはプリントを待つ紙２００’上面を押さえる。
２個の進紙ローラー２０’は逆時計回りに回転し、紙２００’を連動して内部へと送り入れる。
２個の速度センサー３０’は、フィードした紙２００’両側の進紙速度をそれぞれ同時に感知する。
フィードした紙２００’両側の速度の差異の大小に基づき、紙２００’が送り入れられた時に、傾いていないか、及び傾斜の角度はどれだけかを判断する。
紙２００’両側の速度差異値が設定値を超えると、即ちフィードした紙２００’の傾斜角度が設定値より大きいと、紙２００’の傾斜を確定し、進紙を停止し、紙２００’損壊を防止する。
【０００４】
しかし、従来の紙の傾き判断機能を備える周辺機器１００’は、２個の速度センサー３０’を設置する必要があるため、製造コストが高い。
そのため、製造コストが低い紙の傾き判断機能を備える周辺機器及びその紙の傾き判断装置の開発が求められている。
【考案の概要】
【考案が解決しようとする課題】
【０００５】
本考案の目的は、製造コストが低い紙の傾き判断機能を備える周辺機器及びその紙の傾き判断装置を提供することにある。
【課題を解決するための手段】
【０００６】
本考案による周辺機器は、紙に対してプリント或いはスキャンを行い、底台１０、上蓋、少なくとも１個のモーター、進紙キャスターセット、紙の傾き判断装置を有する。
該上蓋は、底台上に枢接され蓋をし、上蓋と底台の間には、進紙通路を形成する。
該モーターは、底台上に取り付けられる。
該進紙キャスターセットは、底台上に枢接され、進紙通路に進入する。
進紙キャスターセットは、モーターと連接し、モーターは進紙キャスターセットを駆動し、紙を進紙方向に沿って送り入れる。
該紙の傾き判断装置は、赤外線発射器、赤外線受け取り器、オーバーハングアーム、感知ローラー、レンズを有する。
該赤外線発射器は、底台上に設置される。
赤外線受け取り器と赤外線発射器は、相対するように、底台上に取り付けられる。
該オーバーハングアームは、回転するように、底台上に設置される。
該感知ローラーは、オーバーハングアームの上端に枢接され、感知ローラーの中心軸と進紙方向とは、垂直に交わる。
感知ローラーの上部は、進紙通路に進入し、該レンズは、オーバーハングアームの下部に固定して設置され、赤外線発射器と赤外線受け取り器の間に設置される。
該レンズの異なる区域は、異なる光透過性を備える。
該赤外線受け取り器は、赤外線発射器が発射しレンズを通過した赤外線を受け取る。
【０００７】
本考案による紙の傾き判断装置は、赤外線発射器、赤外線受け取り器、オーバーハングアーム、感知ローラー、レンズを有する。
該赤外線受け取り器は、赤外線発射器と相対して設置される。
該感知ローラーは、オーバーハングアームの上端に枢接され、感知ローラーの中心軸と進紙方向とは、垂直に交わる。
該レンズは、オーバーハングアームの下部に固定して設置され、赤外線発射器と赤外線受け取り器の間に設置される。
該レンズの異なる区域は、異なる光透過性を備える。
赤外線受け取り器は、赤外線発射器が発射しレンズを通過した赤外線を受け取る。
【考案の効果】
【０００８】
上記のように、本考案による周辺機器及びその紙の傾き判断装置は、周辺機器内に紙の傾き判断装置を設置することで、該紙の傾き判断装置を使用し、フィードした紙が傾いていないかどうかを探知し、こうして速度センサーの設置を不要とする。
該紙の傾き判断装置のコストは速度センサーのコストよりも低いため、こうして周辺機器の製造コストを引き下げることができる。
【図面の簡単な説明】
【０００９】
【図１】従来の周辺機器の模式図である。
【図２】図１に示す従来の周辺機器が紙を送り入れる時の模式図である。
【図３】本考案による周辺機器及びその紙の傾き判断装置の周辺機器の一実施形態の模式図である。
【図４】図３に示す本考案による周辺機器の上蓋と下蓋がない様子を示す立体図である。
【図５】図４に示す本考案による周辺機器の立体分解図である。
【図６】本考案による周辺機器の進紙ローラー台の立体図である。
【図７】本考案による周辺機器及びその紙の傾き判断装置の紙の傾き判断装置を進紙ローラー台上に設置する様子を示す立体図である。
【図８】図７に示す本考案による紙の傾き判断装置の立体図である。
【図９】図７に示す本考案による紙の傾き判断装置の右視図である。
【図１０】図４に示す本考案による周辺機器の俯視図である。
【図１１】図１０に示す本考案による周辺機器がフィードした紙が傾いた状態で送り入れられる時の模式図である。
【図１２】本考案による紙の傾き判断装置の赤外線接受器がレンズの本体部を通過した赤外線を受け取る様子を示す模式図である。
【図１３】本考案による紙の傾き判断装置の赤外線発射器が発射し本体部の異なる区域を通過し受け取った強度が異なる赤外線の変化曲線で、及び受け取った強度が異なる赤外線に基づき、紙を送り入れる時の紙の傾き角度を判断する模式図である。
【図１４】本考案による紙の傾き判断装置のレンズの本体部外表面の異なる区域に異なるテクスチャー或いは模様を設置する光路模式図である。
【考案を実施するための形態】
【００１０】
本考案の技術内容、構造の特徴、達成する目的及び効果を詳細に説明するため、以下に実施例を挙げ、図式と共に詳細に説明する。
【００１１】
（一実施形態）
図３、図４、図７に示す通り、本考案による周辺機器１００は、紙２００に対してプリント或いはスキャンを行い、少なくとも１個の底台１０、上蓋２０、少なくとも１個のモーター（図示なし）、進紙キャスターセット３０、紙の傾き判断装置４０を有する。
上蓋２０は、底台１０上に枢接され蓋をし、上蓋２０と底台１０の間には、進紙通路５０を形成する。
【００１２】
図３、図５、図６に示す通り、該底台１０は、進紙ローラー台１１、封鎖板１２、基板１３を有する。
該進紙ローラー台１１の中央部には、收容空間１４を陥没状に設置する。
進紙ローラー台１１の底面には、收容空間１４と連通する枢接孔１５を開設する。
該封鎖板１２は、進紙ローラー台１１の上表面に蓋をし、封鎖板１２上表面と上蓋２０下表面の間には、該進紙通路５０を形成する。
該封鎖板１２は、收容空間１４の上方に、横方向配列を呈して、收容空間１４と連通する２個の第一開孔１２１を間隔を開けて開設する。
封鎖板１２上の、２組の第一開孔１２１の間には、第二開孔１２２をさらに開設する。
【００１３】
図３、図４、図５、図１０に示す通り、モーターは、底台１０上に設置される。
進紙キャスターセット３０は、底台１０上に枢接され、進紙通路５０に進入する。
進紙キャスターセット３０は、モーターと連接し、モーターは進紙キャスターセット３０を駆動し、紙２００を進紙方向Ｆ１に沿って送り入れる。
具体的には、該進紙キャスターセット３０は、横方向配列を呈して間隔を開けて設置される２個の進紙ローラー３１を有する。
２個の進紙ローラー３１は、進紙ローラー台１１上に枢接され、收容空間１４内に収容される。
２個の進紙ローラー３１は、第一開孔１２１内からそれぞれ封鎖板１２の上表面へと突出する。
２個の進紙ローラー３１の中心軸Ｄ１と進紙方向Ｆ１とは、垂直に交わる。
該基板１３は、進紙ローラー台１１の下方に設置される。
【００１４】
図７、図８、図９に示す通り、該紙の傾き判断装置４０は、赤外線発射器４１、赤外線受け取り器４２、オーバーハングアーム４３、感知ローラー４４、レンズ４５を有する。
該赤外線発射器４１は、底台１０上に取り付けられ、赤外線受け取り器４２は、赤外線発射器４１と相対するように、底台１０上に取り付けられ、赤外線発射器４１が発射する赤外線を受け取る。
具体的には、該赤外線発射器４１と赤外線受け取り器４２は共に、基板１３上に固定して設置される。
【００１５】
図３、図７〜図１０に示す通り、該オーバーハングアーム４３は、回転するように、底台１０上に設置される。
感知ローラー４４の外部には、ゴムリング４４１を嵌めて設置する。
該感知ローラー４４は、オーバーハングアーム４３の上端に枢接され、感知ローラー４４の中心軸Ｄ２と進紙方向Ｆ１とは、垂直に交わる。
感知ローラー４４の上部は、第二開孔１２２内から、封鎖板１２の上表面に突出し、進紙通路５０へ進入する。
該感知ローラー４４の上部は、２個の進紙ローラー３１より高く、しかも感知ローラー４４の中心軸Ｄ２は、進紙ローラー３１中心軸Ｄ１の、進紙方向Ｆ１と反対の側に位置する。
具体的には、該オーバーハングアーム４３は、第一サポートアーム４３１、第二サポートアーム４３２、バネ４３３を有する。
第一サポートアーム４３１と進紙方向Ｆ１は、進紙ローラー台１１上に垂直に枢接される。
第一サポートアーム４３１の上部は、收容空間１４内に収容される。
第一サポートアーム４３１の下表面には、固定柱４３４を突出するように設置し、該第一サポートアーム４３１の下表面は、收容空間１４の底壁上に接触する。
第一サポートアーム４３１下部の固定柱４３４は、枢接孔１５内に収容され、進紙ローラー台１１の下表面に伸び出る。
【００１６】
該第二サポートアーム４３２は、進紙方向Ｆ１に相対し、上下に回転するように、第一サポートアーム４３１の上端に枢接される。
該バネ４３３の一端は、第一サポートアーム４３１の後表面に固定して設置され、該バネ４３３の反対端は、第二サポートアーム４３２の下端に固定して設置される。
こうして、第二サポートアーム４３２は、第一サポートアーム４３１に相対し、上向きの傾斜を保持し、弾性の状態を備える。
感知ローラー４４は、第二サポートアーム４３２の末端に枢接される。
具体的には、該第一サポートアーム４３１の後表面には、凸耳部４３５を突出するように設置する。
凸耳部４３５の中央部には、第一固定保持孔４３６を開設する。
第二サポートアーム４３２の下端には、第二固定保持孔４３７を開設する。
バネ４３３の両端は、第一固定保持孔４３６と第二固定保持孔４３７内にそれぞれ固定して設置される。
【００１７】
該レンズ４５は、オーバーハングアーム４３の下部に固定して設置され、赤外線発射器４１と赤外線受け取り器４２の間に設置される。
具体的には、該レンズ４５は、進紙方向Ｆ１において前後に延伸する連接部４５１、連接部４５１自由端に固定して設置される本体部４５２を有する。
連接部４５１の固定端は、固定柱４３４の下部に固定して設置される。
本体部４５２は、赤外線発射器４１と赤外線受け取り器４２の間に設置される。
【００１８】
図８、図９、図１２に示す通り、該レンズの４５の異なる区域は、異なる光透過性を備える。
赤外線受け取り器４２は、赤外線発射器４１が発射し、レンズ４５の本体部４５２を通過した赤外線を受け取る。
本実施形態中において、該レンズ４５の本体部４５２は、赤外線発射器４１の側が窪んだ弧面で、該レンズ４５の本体部４５２は、左右両側の厚さが異なる。
しかも、本体部４５２左側から右側の厚さは徐々に変化する。
該本体部４５２内には、フォトレジストを添加し、或いは本体部４５２の外表面には、フォトレジストを塗布する。
該フォトレジストは、二酸化チタンである。
フォトレジストの添加により、赤外線受け取り器４２が受け取る、赤外線発射器４１が発射し、本体部４５２の異なる区域を通過する時の赤外線の強度変化はさらに明確である。
【００１９】
図９〜図１４に示す通り、他の実施形態中において、本体部４５２の外表面の異なる区域には、異なる模様（図示なし）を設置し、或いは本体部４５２の外表面の異なる区域には、異なるテクスチャー（図示なし）を設置し、こうしてレンズ４５の異なる区域は、異なる光透過性を実現する。
【００２０】
図３〜図１３に示す通り、図１３中の曲線ＩＮは、赤外線受け取り器４２が、赤外線発射器４１が発射し本体部４５２の異なる区域を通過し受け取った強度が異なる赤外線の変化曲線を示す。
図１３中横坐標の数値は、強度が異なる赤外線に対応し、フィードした紙２００が送り入れられる時の傾斜角度を算出した数値である。
【００２１】
本考案による周辺機器１００及びその紙の傾き判断装置４０の作動原理は、以下の通りである。
進紙時には、紙２００は、感知ローラー４４に下向きの圧力を加える。
これにより、第二サポートアーム４３２は進紙方向に相対し下向きに回転する。
フィードした紙２００が左へ、或いは右へ傾くと、紙２００が左へ、或いは右へ傾いた力は感知ローラー４４上に作用する。
これにより、感知ローラー４４は左へ、或いは右へ揺れ、こうして第一サポートアーム４３１を連動して、第一サポートアーム４３１の中心軸Ｒ１を中心とし、左へ或いは右へ回転し、レンズ４５の本体部４５２の左右の動きを連動する。
この時、赤外線受け取り器４２は、赤外線発射器４１が発し、レンズ４５の本体部４５２の異なる区域を通過した赤外線を受け取る。
こうして、強度が異なる赤外線を受け取る。
強度が異なる赤外線を受け取ることで、大きさが異なる電流或いは電圧を対応して算出する。
本考案による周辺機器１００は出荷前に、異なる強度の電流或いは電圧の受け取りに基づき、感知ローラー４４及び紙２００の異なる偏移角度を予め設定する。
使用時には、赤外線受け取り器４２が受け取った強度が異なる赤外線により、対応する電流或いは電圧を算出し、こうして感知ローラー４４及びフィードした紙２００が送り入れられる時の傾斜角度を確定する。
紙２００が送り入れられる時の偏移角度の大小に基づき、紙２００の送り入れを停止する必要があるか否かを決定する。
【００２２】
上記のように、本考案による周辺機器１００及びその紙の傾き判断装置４０は、周辺機器１００内に紙の傾き判断装置４０を設置することで、紙の傾き判断装置４０を使用し、フィードした紙２００が傾いていないかどうかを探知し、こうして速度センサーの設置を不要とする。該紙の傾き判断装置４０のコストは速度センサーのコストよりも低いため、周辺機器１００の製造コストを引き下げることができる。
【符号の説明】
【００２３】
１００  周辺機器
１０  底台
１１  進紙ローラー台
１２  封鎖板
１２１  第一開孔
１２２  第二開孔
１３  基板
１４  收容空間
１５  枢接孔
２０  上蓋
３０  進紙キャスターセット
３１  進紙ローラー
４０  紙の傾き判断装置
４１  赤外線発射器
４２  赤外線受け取り器
４３  オーバーハングアーム
４３１  第一サポートアーム
４３２  第二サポートアーム
４３３  バネ
４３４  固定柱
４３５  凸耳部
４３６  第一固定保持孔
４３７  第二固定保持孔
４４  感知ローラー
４４１  ゴムリング
４５  レンズ
４５１  連接部
４５２  本体部
５０  進紙通路
２００  紙
【図１】
0003214520.tif 000003
【図２】
0003214520.tif 000004
【図３】
0003214520.tif 000005
【図４】
0003214520.tif 000006
【図５】
0003214520.tif 000007
【図６】
0003214520.tif 000008
【図７】
0003214520.tif 000009
【図８】
0003214520.tif 000010
【図９】
0003214520.tif 000011
【図１０】
0003214520.tif 000012
【図１１】
0003214520.tif 000013
【図１２】
0003214520.tif 000014
【図１３】
0003214520.tif 000015
【図１４】
0003214520.tif 000016